(57)【要約】【課題】嵌め殺し窓のパネル装着部のパネルの見付け方向の支持寸法を可動窓を開放したときの開口面積に関係なく大きくできる可動窓及び嵌め殺し窓を備えた建具とする。【解決手段】左右の縦枠３は障子収容面３０に他側内向突部３１を有し、この障子収容面３０に障子１０を収容して他側内向突部３１に当接して支持することで可動窓とし、前記縦枠３の障子収容面３０に一側支持突部８３と押縁支持突部８２を有したアタッチメント８０を取り付け、この押縁支持突部８２と他側内向突部３１とで押縁９０を支持し、この押縁９０と一側支持突部８３とでパネル装着部３２とすることで、嵌め殺し窓とし、前記一側支持突部８３と押縁９０の見付け寸法によりパネルの見付け方向の支持寸法が決定し、可動窓を開放したときの開口面積に関係なくパネルの見付け方向の支持寸法を大きくできる。【選択図】図７
2014156705.tif 000002
【特許請求の範囲】
【請求項１】
相対向した一対の第１枠材と相対向した一対の第２枠材を四周枠組して枠体を形成し、当該一対の第１枠材間に中間枠材を連結して複数の開口部を形成し、この開口部内に障子を開閉自在に取り付けた可動窓と開口部内にパネルを装着した嵌め殺し窓とを備えた建具であって、
前記一対の第１枠材には、前記開口部の内側面となる障子収容面の見込み方向他側に、見付け方向に延びる可動窓の障子が当接する他側内向突部を有し、
前記障子収容面における嵌め殺し窓が設けられる部分にはアタッチメントが取り付けられ、
前記アタッチメントは、障子収容面の見込み方向一側寄りで見付け方向に延びる一側支持突部と、障子収容面の見込み方向他側寄りで、かつ前記他側内向突部よりも見込み方向一側寄りで見付け方向に延びる押縁支持突部を有し、
前記一側支持突部の見付け寸法が他側内向突部の見付け寸法よりも大きく、
前記他側内向突部の見付け寸法は押縁支持突部の見付け寸法よりも大きく、
前記押縁支持突部と他側内向突部に第１の押縁が取り付けられて、押縁支持突部と他側内向突部とで第１の押縁の見込み方向の動きが規制され、
前記一側支持突部と第１の押縁とで凹溝状のパネル装着部を形成していることを特徴とする可動窓及び嵌め殺し窓を備えた建具。
【請求項２】
前記一対の第２枠材及び中間枠材には、嵌め殺し窓が設けられる部分において、前記開口部の内側面となるパネル装着面の見込み方向一側寄りに設けた一側支持突部と、そのパネル装着面の見込み方向他側寄りに設けた第２の押縁とでパネル装着部を形成している請求項１記載の可動窓及び嵌め殺し窓を備えた建具。
【請求項３】
前記第１の押縁は、他側内向突部に見込み方向他側への方向の動きを規制して接すると共に、押縁支持突部に見込み方向一側への方向の動きを規制して接することで、見込み方向の動きを規制して支持するようにした請求項１又は２記載の可動窓及び嵌め殺し窓を備えた建具。
【請求項４】
前記第１の押縁は、他側内向突部の見込み方向一側に向かう押縁支持部に接する第１の被支持部と、押縁支持突部の見込み方向他側に向かう押縁支持部に接する第２の被支持部と、見付け方向に延びる案内片を有し、
かつ前記第２の被支持部は第１の被支持部よりも見付け方向外側に位置し、
前記開口部に押縁ガイドを設け、この押縁ガイドに第１の押縁の案内片が接することで第１の押縁が見込み方向他側の方向に移動して第２の被支持部が押縁支持突部の押縁支持部に接するようにした請求項３記載の可動窓及び嵌め殺し窓を備えた建具。
【請求項５】
前記押縁支持突部に見込み方向一側に向かう係合受部を設け、
前記案内片に係合部を、第１の押縁がパネル装着部を形成する所定の見付け方向位置のときに係合受部に係合するように設けた請求項４記載の可動窓及び嵌め殺し窓を備えた建具。
【発明の詳細な説明】
【技術分野】
【０００１】
本発明は、可動窓及び嵌め殺し窓を備えた建具に関する。
【背景技術】
【０００２】
可動窓及び嵌め殺し窓を備えた建具が特許文献１に開示されている。
この建具は、上枠と下枠と左右の縦枠で枠体とし、その上枠と下枠とに亘って中間枠材を連結して第１の開口部と第２の開口部を形成し、第１の開口部に障子を開閉自在に取り付けて可動窓とし、第２の開口部にパネルを装着して嵌め殺し窓としている。
【先行技術文献】
【特許文献】
【０００３】
【特許文献１】特許第３９７２３４１号公報
【発明の概要】
【発明が解決しようとする課題】
【０００４】
前述した可動窓と嵌め殺し窓を備えた建具は、枠体の相対向した一対の枠材（上枠、下枠）が可動窓と嵌め殺し窓とに渡って連続するので、その一対の枠材を障子収容面の見込み方向一側に障子が当接して支持する一側突出部を有する形状とし、その一対の枠材の嵌め殺し窓となる部分の障子収容面の見込み方向他側に押縁を取り付け、その押縁と一側突出部でパネル装着部としている。
このために、対向した一対の枠材の障子収容面の見込み方向他側寄りの形状が押縁を取り付けできる複雑な形状となるから、対向した一対の枠材がコスト高となる。
【０００５】
しかも、障子を支持する一側突出部と押縁とでパネル装着部としているので、パネル装着部におけるパネルの見付け方向の支持寸法は一側突出部の見付け寸法によって決まるので、パネル装着部におけるパネルの見付け方向の支持寸法を大きくすると一側突出部の見付け寸法が大きくなり、可動窓を開放したとき開口面積が小さくなってしまう。
【０００６】
本発明の目的は、可動窓と嵌め殺し窓とに連続する一対の枠材のコストを安くできると共に、嵌め殺し窓のパネル装着部のパネルの見付け方向の支持寸法を、可動窓を開放したときの開口面積とは関係なく大きくできるようにした可動窓及び嵌め殺し窓を備えた建具とすることである。
【課題を解決するための手段】
【０００７】
本発明は、相対向した一対の第１枠材と相対向した一対の第２枠材を四周枠組して枠体を形成し、当該一対の第１枠材間に中間枠材を連結して複数の開口部を形成し、この開口部内に障子を開閉自在に取り付けた可動窓と開口部内にパネルを装着した嵌め殺し窓とを備えた建具であって、
前記一対の第１枠材には、前記開口部の内側面となる障子収容面の見込み方向他側に、見付け方向に延びる可動窓の障子が当接する他側内向突部を有し、
前記障子収容面における嵌め殺し窓が設けられる部分にはアタッチメントが取り付けられ、
前記アタッチメントは、障子収容面の見込み方向一側寄りで見付け方向に延びる一側支持突部と、障子収容面の見込み方向他側寄りで、かつ前記他側内向突部よりも見込み方向一側寄りで見付け方向に延びる押縁支持突部を有し、
前記一側支持突部の見付け寸法が他側内向突部の見付け寸法よりも大きく、
前記他側内向突部の見付け寸法は押縁支持突部の見付け寸法よりも大きく、
前記押縁支持突部と他側内向突部に第１の押縁が取り付けられて、押縁支持突部と他側内向突部とで第１の押縁の見込み方向の動きが規制され、
前記一側支持突部と第１の押縁とで凹溝状のパネル装着部を形成したことを特徴とする可動窓及び嵌め殺し窓を備えた建具である。
【０００８】
本発明の建具においては、前記一対の第２枠材及び中間枠材には、嵌め殺し窓が設けられる部分において、前記開口部の内側面となるパネル装着面の見込み方向一側寄りに設けた一側支持突部と、そのパネル装着面の見込み方向他側寄りに設けた第２の押縁とでパネル装着部を形成することができる。
【０００９】
本発明の建具においては、前記第１の押縁は、他側内向突部に見込み方向他側への方向の動きを規制して接すると共に、押縁支持突部に見込み方向一側への方向の動きを規制して接することで、見込み方向の動きを規制して支持するようにできる。
このようにすれば、押縁支持突部と他側内向突部とで第１の押縁を見込み方向に動くことを確実に規制できる。
【００１０】
本発明の建具においては、前記第１の押縁は、他側内向突部の見込み方向一側に向かう押縁支持部に接する第１の被支持部と、押縁支持突部の見込み方向他側に向かう押縁支持部に接する第２の被支持部と、見付け方向に延びる案内片を有し、
かつ前記第２の被支持部は第１の被支持部よりも見付け方向外側に位置し、
前記開口部に押縁ガイドを設け、この押縁ガイドに第１の押縁の案内片が接することで第１の押縁が見込み方向他側の方向に移動して第２の被支持部が押縁支持突部の押縁支持部に接するようにできる。
このようにすれば、第１の押縁を見付け方向内側から外側に向けて移動することで、第２の被支持部が押縁支持突部の押縁支持部に接するから、第１の押縁を簡単に取り付けできる。
【００１１】
本発明の建具においては、前記押縁支持突部に見込み方向一側に向かう係合受部を設け、
前記案内片に係合部を、第１の押縁がパネル装着部を形成する所定の見付け方向位置のときに係合受部に係合するように設けることができる。
このようにすれば、第１の押縁を手で持って移動操作する人が、係合部が係合受部に係合する際に発生する音や、クリック感によって、第１の押縁を所定の見付け方向位置まで移動したことを感知できる。
【発明の効果】
【００１２】
本発明によれば、可動窓と嵌め殺し窓とに連続する一対の第１枠材は、障子収容面に他側内向突部を設けた単純形状であるから、その枠材のコストを安くできる。
また、第１枠材の障子収容面に設けたアタッチメントの一側支持突部と第１の押縁とでパネル装着部を形成しているから、その一側支持突部の見付け寸法を他側内向突部の見付け寸法よりも大きくすることで、パネル装着部におけるパネルの見付け方向の支持寸法を可動窓を開放したときの開口面積に関係なく大きくできる。
【００１３】
また、嵌め殺し窓部分においては第１・第２の押縁を取り外した状態でパネルをけんどん式に嵌め込みできると共に、パネルを嵌め込んだ状態で縦枠に第１の押縁を見付け方向に移動して取り付けできる。
【図面の簡単な説明】
【００１４】
【図１】建具の内観図である。
【図２】図１のＡ−Ａ断面図である。
【図３】図１のＢ−Ｂ断面図である。
【図４】図２の上半分拡大図である。
【図５】図２の下半分拡大図である。
【図６】図１のＣ−Ｃ断面図である。
【図７】図６のパネル装着部分の拡大図である。
【図８】パネルの嵌め込み動作の説明図である。
【図９】図７の押縁取付動作の説明図である。
【図１０】開口幅の異なるパネル装着部の断面図である。
【発明を実施するための形態】
【００１５】
図１、図２、図３に示すように、本発明の建具１は可動窓１ａ−１の上下に嵌め殺し窓１ａ−２を有した段窓１ａである。
この実施の形態では段窓１ａと、段窓１ａの左右一方に連続した引き違い窓１ｂを備えた連窓としてある。
引き違い窓１ｂは室内側の障子１ｂ−１と室外側の障子１ｂ−２を有している。
段窓１ａの見付け方向の寸法は引き違い窓１ｂの見付け方向の寸法よりも小さい。例えば、ほぼ１／５である。
【００１６】
段窓１ａの枠体２は、可動窓１ａ−１と嵌め殺し窓１ａ−２とに連続した相対向した一対の第１枠材、例えば左右の縦枠３，３と、相対向した一対の第２枠材、例えば上枠４、下枠７を四周枠組みしてある。
この左右の縦枠３，３間に渡って中間枠材、例えば上部無目５、下部無目６を連結して複数の開口部を形成している。
例えば、左右の縦枠３の上部寄りと上枠４と上部無目５とで上部開口部２ａを形成し、左右の縦枠３の上下中間と上部無目５と下部無目６とで中間部開口部２ｂを形成し、左右の縦枠３の下部寄りと下部無目６と下枠７とで下部開口部２ｃを形成している。
【００１７】
上部開口部２ａ及び下部開口部２ｃにガラスなどのパネル９を装着して嵌め殺し窓１ａ−２としている。
中間部開口部２ｂに障子１０を開閉自在に取り付けて可動窓１ａ−１としている。
段窓１ａの上枠４、下枠７は引き違い窓１ｂまで連続し、その上枠４、下枠７に縦枠８を連結することで、上枠４、下枠７、縦枠８と段窓１ａの左右一方の縦枠３とで引き違い窓の枠体としてある。
つまり、図１に示す枠体は、上枠４と下枠７と左右一方の縦枠８と左右他方の縦枠３で方形状で、その上枠４と下枠７とに渡って方立（縦枠３）を連結して段窓用の枠体と引き違い窓用の枠体を有する枠体としてある。
【００１８】
段窓１ａについて説明する。
なお、図３において紙面の左右方向に向かう方向を見付け方向とし、縦枠３の開口部（中間部開口部２ｂ）の中央に向かう方向を見付け方向内側とすると共に、開口部（中間部開口部２ｂ）の中央と反対側に向かう方向を見付け方向外側とし、紙面の上下方向に向かう方向を見込み方向とし、障子１０を開放する側を見込み方向一側、障子１０を閉じる側を見込み方向他側とする。
図４、図５において、紙面の左右方向に向かう方向を見込み方向とし、障子１０を開放する側を見込み方向一側、障子１０を閉じる側を見込み方向他側とし、紙面の上下に向かう方向を見付け方向とし、開口部の中央に向かう方向を内側、開口部の中央と反対側を外側として説明する。
【００１９】
段窓１ａの枠体２を形成する上枠４は、図４に示すように見付け方向の内側で見込み方向に向かい、上部開口部２ａの内側面となるパネル装着面４０と、そのパネル装着面４０の見込み方向一側寄りに設けた見付け方向の内側（下方）に向けて延びる一側支持突部４１と、パネル装着面４０の見込み方向他側寄りに見付け方向の内側（下方）に向けて取り付けた第２の押縁４２とで見付け方向の内側に向かう凹溝状のパネル装着部４３を有している。
そして、パネル装着部４３にパネル９の上縁部を挿入して一側気密材９ａと他側気密材９ｂで支持してある。
【００２０】
この実施の形態では上枠４が引き違い窓１ｂの上枠を兼用しているので、引き違い窓１ｂの上枠となる上枠本体４ａに段窓１ａの上枠となる上枠アタッチメント４ｂを取り付けて上枠４としている。
上枠本体４ａは見込み方向一側レール４４と見込み方向他側レール４５を備え、一般的な引き違い窓用上枠形状である。
上枠アタッチメント４ｂは前述のパネル装着面４０に一側支持突部４１を設けたほぼ鉤形状の断面で、そのパネル装着面４０の見込み方向他側寄りに押縁４２が取り付けられる。
なお、段窓だけであれば、上枠４はパネル装着面４０に一側支持突部４１を有し、第２の押縁４２を取り付けできる断面形状であれば良い。
【００２１】
段窓１ａの枠体２を形成する下枠７は、図５に示すように上枠４と同様に見付け方向の内側で見込み方向に向かうパネル装着面７０と、そのパネル装着面７０の見込み方向一側寄りに設けた見付け方向の内側（上方）に向けて延びる一側支持突部７１と、パネル装着面７０の見込み方向他側寄りに見付け方向の内側（上方）に向けて取り付けた第２の押縁７２とで見付け方向の内側（上方）に向かう凹溝状のパネル装着部７３を有している。
そして、パネル装着部７３にパネル９の下縁部を挿入して一側気密材９ａと他側気密材９ｂで支持してある。
【００２２】
この実施の形態では下枠７も引き違い窓１ｂの下枠を兼用しているので、引き違い窓１ｂの下枠となる下枠本体７ａに段窓１ａの下枠となる下枠アタッチメント７ｂを取り付けて下枠７としてある。
下枠本体７ａは見込み方向一側レール７４と見込み方向他側レール７５を備え、一般的な引き違い窓用下枠形状である。
下枠アタッチメント７ｂは前述のパネル装着面７０に一側支持突部７１を設けたほぼ鉤形状の断面で、そのパネル装着面７０の見込み方向他側寄りに押縁７２が取り付けられる。
なお、段窓だけであれば、下枠７はパネル装着面７０に一側支持突部７１を有し、第２の押縁７２を取り付けできる断面形状であれば良い。
【００２３】
上部無目５の上側部分と下部無目６の下側部分、つまり嵌め殺し窓を形成する部分は、図４、図５に示すように上枠４、下枠７と同様に、パネル装着面５０，６０と、その見込み方向一側寄りに設けた一側支持突部５１，６１と、パネル装着面５０，６０の見込み方向他側寄りに取り付けた第２の押縁５２，６２とで凹溝状のパネル装着部５３，６３を有している。
そして、各パネル装着部５３，６３にパネル９の下縁部、上縁部を挿入して一側気密材９ａと他側気密材９ｂで支持している。
【００２４】
上部無目５の下側部分と下部無目６の上側部分、つまり可動窓を形成する部分は、図４、図５に示すように、見込み方向に向かい障子１０の外周面（上面、下面）と対向して障子収容部を形成し、中間部開口部２ｂの内側面となる障子収容面５５，６５と、その障子収容面５５，６５の見込み方向他側寄りに設けた見付け方向の内側に向けて延びる他側内向突部５６，６６を有している。
【００２５】
左右の縦枠３は図３に示すように、見付け方向の内側に見込み方向に向かい障子１０の外周面（縦面）と対向して障子収容部を形成し、開口部の内側面となる障子収容面３０と、この障子収容面３０の見込み方向他側寄りに設けた見付け方向の内側に向けて延びる他側内向突部３１を有している。
左右の縦枠３の中間部開口部２ｂを形成する長手方向中間の障子収容面３０と上部無目５の障子収容面５５と下部無目６の障子収容面６５とで方形状の障子収容部を形成し、その障子収容部内に閉じ状態の障子１０が収容されると共に、各他側内向突部３１，５６，６６の突出端部には見込み方向一側に開口した凹部３１ａ，５６ａ，６６ａを有し、各凹部に設けた気密材１０ａが四周連続し、その気密材１０ａに障子１０の見込み方向他側面が接触して気密する。
【００２６】
左右の縦枠３は可動窓１ａ−１の部分では何ら問題がなく障子１０を収容できるが、左右の縦枠３は嵌め殺し窓１ａ−２においては、パネル９の左右の縦縁部を装着するパネル装着部が存在しないので、パネル９の左右の縦縁部を支持できない。
つまり、段窓１ａであるから、縦枠３は可動窓１ａ−１に対応すべく縦枠３の見付け方向の内側を、障子収容面３０と他側内向突部３１を有する形状として障子１０を収容できるようにしてあると共に、縦枠３は嵌め殺し窓１ａ−２まで連続しているから、嵌め殺し窓１ａ−２（上部開口部２ａ、下部開口部２ｃ）においてはパネル装着部が存在しない。
【００２７】
そこで、図６に示すように嵌め殺し窓１ａ−２を形成する下部開口部２ｃを形成する縦枠３の部分、つまり下部無目６と下枠７との間の部分にアタッチメント８０を取り付ける。
このアタッチメント８０と他側内向突部３１とに渡って第１の押縁９０を取り付け、アタッチメント８０と第１の押縁９０とでパネル装着部３２を形成する。
【００２８】
このようにすることで、縦枠３を可動窓１ａ−１と嵌め殺し窓１ａ−２とに渡って連続させることができる。
【００２９】
この実施の形態では、左右一方の縦枠３は引き違い窓１ｂの縦枠を兼用するので、その縦枠３の引き違い窓１ｂを形成する見付け方向の一方の面３３を引き違い窓１ｂに対応した形状としてある。
また、左右他方の縦枠３、つまり躯体に取り付ける縦枠３は、断面形状が略コ字形状の見付け方向外側の外縦枠３４に見付け方向内側の内縦枠３５を嵌合した形状で、その内縦枠３５の見付け方向の内側面が障子収容面３０で、他側内向突部３１を備えている。
【００３０】
アタッチメント８０は図６に示すように、縦枠３の障子収容面３０に固着して取り付ける取付部８１と、この取付部８１の見込み方向他側寄りに設けた見付け方向の内側に向けて延びる押縁支持突部８２と、取付部８１の見込み方向一側寄りに設けた見付け方向の内側に向けて延びる一側支持突部８３とで、見付け方向の内側に向かう断面コ字状の長尺材である。
そして、アタッチメント８０の押縁支持突部８２と縦枠３の他側内向突部３１とで第１の押縁９０を支持して取り付け、アタッチメント８０と第１の押縁９０とで見付け方向の内側に開口した溝形状のパネル装着部３２を形成する。
【００３１】
以上の説明は、下方の嵌め殺し窓１ａ−２を形成する下部無目６、下枠７と縦枠３の下部寄りとで成る下部開口部２ｃについてであるが、上方の嵌め殺し窓１ａ−２を形成する上枠４、上部無目５と縦枠３の上部寄りとで成る上部開口部２ａも同様である。
【００３２】
アタッチメント８０と第１の押縁９０の具体形状を図７に基づいて説明する。
アタッチメント８０の一側支持突部８３の見付け寸法Ｌ１は縦枠３の他側内向突部３１の見付け寸法Ｌ２よりも長い。
これにより、パネル９をパネル装着部３２に挿入して支持した状態で一側支持突部８３とパネル９との見付け方向の重なり代、つまりパネル９の見付け方向の支持寸法Ｌ３を所定の値とし、一側支持突部８３でパネル９の見込み方向一側を確実に支持できるようにしてある。
また、縦枠３の他側内向突部３１が短いことにより、後述するようにパネル９を下部開口部２ｃにけんどん式に嵌め込みし易い。
【００３３】
取り付けた第１の押縁９０の縦枠３の障子収容面３０からの見付け方向の寸法、つまり見付け寸法Ｌ４は一側支持突部８３の見付け寸法Ｌ１と同一、又はそれ以上で、第１の押縁９０とパネル９との見付け方向の重なり代、つまりパネル９の見付け方向の支持寸法Ｌ５を一側支持突部８３による支持寸法Ｌ３と同一又はそれ以上とし、第１の押縁９０でパネル９の見込み方向他側を確実に支持できるようにしてある。
【００３４】
また、他側内向突部３１の見付け寸法Ｌ２よりも前述の第１の押縁９０の見付け寸法Ｌ４が大きく、他側内向突部３１の見付け寸法Ｌ２に関係なく第１の押縁９０と一側支持突部８３の見付け寸法を大きくすることで、パネルの見付け方向の支持寸法（Ｌ５）を大きくできるので、可動窓１ａ−１の開放したときの開口面積に関係なく、第１の押縁９０によるパネルの見付け方向の支持寸法を大きくできる。
アタッチメント８０の押縁支持突部８２は板状で、見込み方向一側面８２ａに係合受部８４を有し、見込み方向他側面８２ｂの見付け方向中間には見付け方向の内側に向かうほぼ鉤形状の規制片８５を有すると共に、押縁支持突部８２の見付け方向の内側端面、つまり先端面が押縁ストッパ部８６で、見込み方向他側面８２ｂの先端寄りが押縁支持部８７としてある。
そして、規制片８５が他側内向突部３１の見込み方向一側面３１ｂに接している。
【００３５】
第１の押縁９０は見付け方向に向かう板状の本体９１と、その本体９１の見付け方向の内側端に見込み方向一側に向けて設けた気密材支持部９２と、本体９１の見込み方向他側面９１ａの見付け方向の内側端寄りに設けた突片状の見付け方向の内側の第１の被支持部９３と、本体９１の見込み方向一側面９１ｂの見付け方向の外側端寄りに設けた見付け方向の外側に向かう案内片９４と、この案内片９４の先端部に設けた係合部９５と、本体９１の見付け方向の外側端に見付け方向の外側に向けて設けた突出片９６からなる見付け方向の外側の第２の被支持部と、本体９１の見込み方向他側面９１ａの見付け方向の外側寄りに設けた突片９７を備え、本体９１の見付け方向の外側端面が押縁ストッパ部８６に当接する被ストッパ部９８で、案内片９４が突出片９６よりも見付け方向の外側まで突出している。
【００３６】
そして、第１の押縁９０の係合部９５が押縁支持突部８２の係合受部８４に係合すると共に、被ストッパ部９８が押縁ストッパ部８６に接することで、第１の押縁９０はパネル装着部３２を形成する見付け方向の所定の位置に位置決めして見付け方向に抜けないように取り付けられ、本体９１と押縁支持突部８２が一直線状に連続する。
第１の押縁９０の第１の被支持部９３が縦枠３の他側内向突部３１の見込み方向一側の方向に向かう押縁支持部３１ｃに接し、第１の押縁９０の見込み方向他側の方向への動きを規制すると共に、第２の被支持部である突出片９６が押縁支持突部８２の見込み方向他側の方向に向かう押縁支持部８７に接し、第１の押縁９０の見込み方向一側の方向への動きを規制することで、第１の押縁９０を見込み方向他側の方向、つまりパネル９と離れる方向の動きを規制して支持される。
【００３７】
アタッチメント８０の一側支持突部８３とパネル９との間が一側気密材９ａで気密され、第１の押縁９０の気密材支持部９２とパネル９との間が他側気密材９ｂで気密される。また、アタッチメント８０の見込み方向一側寄りには、気密材８８が設けられており、縦枠３の障子収容面３０との間を気密している。
【００３８】
次に、下方の嵌め殺し窓１ａ−２（下部開口部２ｃ）にパネル９を装着する動作を説明するが、上方の嵌め殺し窓１ａ−２（上部開口部２ａ）にも同様にしてパネルが装着される。
図５に示す上部無目５、下部無目６に取り付けた第２の押縁６２，７２と図６に示す縦枠３に取り付けた第１の押縁９０は、まだ取り付けられていない状態である。
これにより、下部開口部２ｃの上下方向の寸法、つまり下部無目６のパネル装着面６０の見込み方向他側寄りと下枠７のパネル装着面７０の見込み方向他側寄りとの間の寸法がパネル９の上下寸法より大きい。
【００３９】
図８に示すように左右の縦枠３の他側内向突部３１間の左右方向の寸法はパネル９の左右寸法よりも小さいが、パネル９を左右方向に平行に対して斜めの姿勢として矢印ａで示すように左右一方側に移動することで、パネル９の左右方向一端部、例えば図８で左側部を左側の縦枠３のアタッチメント８０の押縁支持突部８２と一側支持突部８３との間に挿入し、パネル９の左側部を中心として右側部を矢印ｂで示すように見込み方向一側方に向けて回動することで、パネル９を左右方向に平行とし、その右側部を右側の縦枠３のアタッチメント８０の一側支持突部８３と押縁支持突部３１との間に対向させることが可能な左右寸法としてある。
【００４０】
前述のようにしてパネル９を左右のアタッチメント８０の押縁支持突部８２と一側支持突部８３との間に挿入した後に、パネル９を左右方向の右側に移動してパネル９を図８に仮想線で示すような取付姿勢として一側気密材９ａに接すると共に、図５に示すようにスペーサ９ｃにパネル９を載置する。
これにより、パネル９を下部開口部２ｃにけんどん式に嵌め込むことができる。
【００４１】
図９に実線で示すように第１の押縁９０を、案内片９４を先頭としてパネル９の表面に沿った見付け方向の外側に向けて移動して図７に示すように第１の押縁９０を縦枠３の他側内向突部３１とアタッチメント８０の押縁支持突部８２とで見込み方向他側方への動きを規制して取り付ける。
そして、第１の押縁９０のガスケット支持部９２とパネル９との間に他側気密材９ｂを押しこむようにして装着する。
【００４２】
前述のようにして第１の押縁９０を取り付ける際には、第１の押縁９０を注意深く平行姿勢を維持して移動操作し、第２の被支持部である突出片９６が押縁支持突部８２の押縁支持部８７に接すると共に、係合部９５が係合受部８４に係合するようにするが、誤操作によって第２の被支持部である突出片９６が押縁支持突部８２よりも見込み方向一側寄り（パネル９寄り）となると第１の押縁９０を正しく取り付けできないことがあり、第１の押縁９０の取付操作が面倒である。
【００４３】
この実施の形態では、図７に示すように、下部開口部２ｃにパネル９を入れる際にパネル９と干渉しない取付位置に押縁ガイド２０を取り付け、この押縁ガイド２０によって第１の押縁９０を簡単で正しく取り付けできるようにしている。
例えば、下枠７と縦枠３とのコーナー部に押縁ガイド２０を取り付ける。
【００４４】
押縁ガイド２０は見込み方向他側面２１、一側面２２と、見付け方向内側面２３、外側面２４と、上下面を有した直方体形状で、見込み方向他側面２１と見付け方向内側面２３とのコーナー部は、見込み方向他側面２１側が一側面２２側よりも見込み方向の外側となる斜面２５である。
そして、押縁ガイド２０は、その見込み方向他側面２１がアタッチメント８０の押縁支持突部８２の見込み方向一側面８２ａと離隔し、両者の間に第１の押縁９０の案内片９４が入り込むことが可能で、パネル９の表面に沿って移動した第１の押縁９０の案内片９４が斜面２５に接するように取り付けられる。
【００４５】
図９に実線で示すように、第１の押縁９０を、その気密材支持部９２をパネル９の表面に沿って移動することで、案内片９４の先端部が押縁ガイド２０の斜面２５に接する。
さらに第１の押縁９０を移動すると図９に一点鎖線で示すように案内片９４が斜面２５に沿って摺動することで、第１の押縁９０は見込み方向他側の方向に移動して第２の側被支持部である突出片９６が押縁支持突部８２に見込み方向に接近し、第２の被支持部である突出片９６が押縁支持突部８２の押縁ストッパ部８６と見付け方向に向かい合う。
さらに第１の押縁９０を移動すると図９に二点鎖線で示すように、第２の被支持部となる突出片９６が押縁支持突部８２の押縁支持部８７に接し、係合部９５が係合受部８４よりも見付け方向外側寄り、つまり係合可能な位置となる。
【００４６】
この実施の形態では、押縁支持突部８２の先端面、つまり、押縁ストッパ部８６及び外側被支持部である突出片９６の先端面を斜面とし、その斜面同士が接することで第２の被支持部である突出片９６が押縁支持部８７に接し易くしてある。
【００４７】
第１の押縁９０をさらに移動すると係合部９５が係合受部８４に係合すると共に、ストッパ部９８が押縁ストッパ部８６に接し、係合音が発生すると共に、第１の押縁９０を移動操作している人が係合したこと（クリック感）を感じるので、第１の押縁９０をパネル装着部３２を形成する所定の位置まで移動したことを知ることができる。
【００４８】
前述のようにして左右の第１の押縁９０を取り付けしたら、図５に示す第２の押縁６２，７２を取り付け、他側気密材９ｂを介してパネル９に押しつけることで外れないようにする。
【００４９】
このように、第１の押縁９０を縦枠３の他側内向突部３１とアタッチメント８０の押縁支持突部８２とでパネル９と離れないように支持して取り付けしたので、縦枠のパネル装着部とすることができるし、上枠や下枠のパネル装着部とすることが可能である。
しかも、パネル９を平行に対して斜めの姿勢とすることで、押縁支持突部８２と一側支持突部８３との間にパネル９を挿入できるので、パネル９をけんどん式に嵌め込むことが可能である。
【００５０】
また、第１の押縁９０の気密材支持部９２の見込み方向の寸法を変えることで、同一のアタッチメント８０を用いて開口幅の異なるパネル装着部とすることができる。
例えば、図１０（ａ）に示すように気密材支持部９２の見込み方向の寸法を小さくすれば、開口幅Ｈ１が大きなパネル装着部となるし、図１０（ｂ）に示すように気密材支持部９２の見込み方向の寸法を大きくすれば、開口幅Ｈ２が小さなパネル装着部とすることができる。
【００５１】
この実施の形態では、可動窓と嵌め殺し窓を備えた段窓としたが、可動窓と嵌め殺し窓を備えた連窓とすることができる。その場合には上枠と下枠を相対向した一対の第１枠材とし、左右の縦枠を相対向した第２の枠材とする。
【００５２】
図２と図３に示すように、この実施の建具は改装建具で、建物躯体に既設枠体の既設上枠１００、既設下枠１０１、既設縦枠１０２が残存している。
そして、既設上枠１００に上枠４が下地材１０３、スペーサ１０４を用いて取り付け、既設下枠１０１に下枠７が下地材１０５、スペーサ１０６を用いて取り付け、既設縦枠１０２に左右他方の縦枠３と縦枠８が下地材１０７、スペーサ１０８を用いて取り付けてある。
上枠４と既設上枠１００の見込み方向一側面との間を上枠４に設けた気密材１０９で気密している。
縦枠３，８と既設縦枠１０２の見込み方向一側面との間を縦枠３，８に設けた気密材１１４で気密している。
上枠４の見込み方向他側面にカバー１１２を取り付け、このカバー１１２と既設上枠１００との間を気密材１１３で気密している。
縦枠３，８の見込み方向他側面にカバー１１０を取り付け、このカバー１１０と既設縦枠１０２との間を気密材１１１で気密している。
下枠７の見込み方向他側面と既設下枠１０１との間を下枠３に設けた気密材１１５で気密している。
【符号の説明】
【００５３】
１…建具、１ａ…段窓、１ａ−１…可動窓、１ａ−２…嵌め殺し窓、２…枠体、３…縦枠（第１枠材）、４…上枠（第２枠材）、５…上部無目（中間枠材）、６…下部無目（中間枠材）、７…下枠（第２枠材）、９…パネル、１０…障子、２０…押縁ガイド、２５…斜面、３０…障子収容面、３１…他側内向突部、３２…パネル装着部、４０…パネル装着面、７０…パネル装着面、８０…アタッチメント、８１…取付部、８２…押縁支持突部、８３…一側支持突部、８４…係合受部、８６…押縁ストッパ部、８７…押縁支持部、９０…第１の押縁、９１…本体、９２…気密材支持部、９３…第１の被支持部、９４…案内片、９５…係合部、９６…突出片（第２の被支持部）。
【図１】
2014156705.tif 000003
【図２】
2014156705.tif 000004
【図３】
2014156705.tif 000005
【図４】
2014156705.tif 000006
【図５】
2014156705.tif 000007
【図６】
2014156705.tif 000008
【図７】
2014156705.tif 000009
【図８】
2014156705.tif 000010
【図９】
2014156705.tif 000011
【図１０】
2014156705.tif 000012